【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
上限位置と下限位置の間を上下方向に移動可能かつ第１サイズのシートを積載する第１積載手段と、
前記上限位置より下方かつ前記下限位置より上方である位置を所定位置とし、前記第１積載手段が前記所定位置から前記上限位置までの間にあるときに、前記第１積載手段と連結されていて、前記第１積載手段が前記所定位置より下方にあるときに、前記第１積載手段との連結が解除されている第２積載手段であって、前記第１積載手段と連結された状態で、前記第１積載手段が上下方向へ移動することによって、前記第１積載手段と共に、前記第１サイズよりも大きい第２サイズのシートを積載しながら上下方向に移動可能である前記第２積載手段と、
前記第１積載手段が前記所定位置にあることを検出する第１検出手段と、
前記第２積載手段が前記所定位置にあることを検出する第２検出手段と、
前記第１積載手段に積載されたシート及び前記第１積載手段の上面を検出する上面検出手段と、
前記第１サイズのシート及び前記第２サイズのシートを含む複数のサイズのシートのうち、どのサイズのシートを積載するかを設定する設定手段と、
前記設定手段が前記第２サイズのシートを積載するように設定しているときに、前記上面検出手段が前記第１積載手段に積載されているシートを検出した場合で且つ、前記第１積載手段が前記所定位置になく、前記第２積載手段が前記所定位置にある場合に、エラーと判定する判定手段と、
を有することを特徴とする積載装置。
【請求項２】
前記エラーは、前記第１積載手段の上にシートが残留していることを示すと共に、該残留しているシートの除去を促すエラーであることを特徴とする請求項１に記載の積載装置。
【請求項３】
前記上面検出手段は、前記所定位置より高く、前記上限位置よりも低い高さの第１の位置で、前記第１積載手段に積載されたシート及び前記第１積載手段の上面を検出することを特徴とする請求項１又は２に記載の積載装置。
【請求項４】
上限位置と下限位置の間を上下方向に移動可能かつ第１サイズのシートを積載する第１積載手段と、
前記上限位置より下方かつ前記下限位置より上方である位置を所定位置とし、前記第１積載手段が前記所定位置から前記上限位置までの間にあるときに、前記第１積載手段と連結されていて、前記第１積載手段が前記所定位置より下方にあるときに、前記第１積載手段との連結が解除されている第２積載手段であって、前記第１積載手段と連結された状態で、前記第１積載手段が上下方向へ移動することによって、前記第１積載手段と共に、前記第１サイズよりも大きい第２サイズのシートを積載しながら上下方向に移動可能である前記第２積載手段と、
前記所定位置よりも上方、かつ前記上限位置よりも下方の位置である第１の位置に、前記第１積載手段に積載されたシートがあること、および前記第１の位置に前記第１積載手段があることを検出する第１検出手段と、
前記第２積載手段が前記所定位置にあることを検出可能な第２検出手段と、
前記第１サイズのシート及び前記第２サイズのシートを含む複数のサイズのシートのうち、どのサイズのシートを積載するかを設定する設定手段と、
前記設定手段が前記第２サイズのシートを積載するように設定している状態で前記第１積載手段が上昇しているときに、前記第２検出手段が前記第２積載手段を検出する前に前記第１検出手段が前記第１積載手段に積載されたシートを検出した場合に、エラーと判定する判定手段と、
を有することを特徴とする積載装置。
【請求項５】
前記第１検出手段及び前記第２検出手段は、前記第１積載手段にシートが積載されていない場合に、前記第１検出手段による検出が前記第２検出手段による検出より後になるように構成されていることを特徴とする請求項４に記載の積載装置。
【請求項６】
前記第１検出手段は、前記判定手段が前記エラーと判定する場合には前記第１積載手段の上のシートを検出し、前記エラーと判定しない場合には前記第１積載手段を検出するように構成されていることを特徴とする請求項４又は５に記載の積載装置。
【請求項７】
前記エラーは、前記第１積載手段の上にシートが残留していることを示すと共に、該残留しているシートの除去を促すエラーであることを特徴とする請求項４乃至６のいずれか１項に記載の積載装置。
【請求項８】
上限位置と下限位置の間を上下方向に移動可能かつ第１サイズのシートを積載する第１積載手段と、
前記上限位置より下方かつ前記下限位置より上方である位置を所定位置とし、前記第１積載手段が前記所定位置から前記上限位置までの間にあるときに、前記第１積載手段と連結されていて、前記第１積載手段が前記所定位置より下方にあるときに、前記第１積載手段との連結が解除されている第２積載手段であって、前記第１積載手段と連結された状態で、前記第１積載手段が上下方向へ移動することによって、前記第１積載手段と共に、前記第１サイズよりも大きい第２サイズのシートを積載しながら上下方向に移動可能である前記第２積載手段と、
前記第１積載手段が前記所定位置にあることを検出する第１検出手段と、
前記第２積載手段が前記所定位置にあることを検出する第２検出手段と、
ユーザに対する通知を行う通知手段と、
前記第１検出手段の検出結果と前記第２検出手段の検出結果とに応じた通知を前記通知手段に行なわせる制御手段と、
を有することを特徴とする積載装置。
【請求項９】
前記制御手段は、前記第１検出手段の検出結果と前記第２検出手段の検出結果とに基づいて、前記第２サイズのシートが積載可能か否かを判定し、前記第２サイズのシートを積載可能であると判定された場合と、積載可能でないと判定された場合と、を識別可能に前記通知手段に通知させることを特徴とする請求項８に記載の積載装置。
【請求項１０】
前記通知手段は、複数種類の発光パターンにより、前記第１検出手段の検出結果と前記第２検出手段の検出結果とに応じた通知を行なうことを特徴とする請求項８又は９に記載の積載装置。
【請求項１１】
前記第１サイズのシート及び前記第２サイズのシートを含む複数のサイズのシートのうち、どのサイズのシートを積載するかを設定する設定手段、をさらに有し、
前記制御手段は、前記第２サイズのシートを積載するように前記設定手段によって設定されている場合に、前記第１検出手段の検出結果と前記第２検出手段の検出結果とに応じた通知を前記通知手段に行なわせることを特徴とする請求項８乃至１０のいずれか１項に記載の積載装置。
【請求項１２】
上限位置と下限位置の間を上下方向に移動可能かつ第１サイズのシートを積載する第１積載手段と、
前記上限位置より下方かつ前記下限位置より上方である位置を所定位置とし、前記第１積載手段が前記所定位置から前記上限位置までの間にあるときに、前記第１積載手段と連結されていて、前記第１積載手段が前記所定位置より下方にあるときに、前記第１積載手段との連結が解除されている第２積載手段であって、前記第１積載手段と連結された状態で、前記第１積載手段が上下方向へ移動することによって、前記第１積載手段と共に、前記第１サイズよりも大きい第２サイズのシートを積載しながら上下方向に移動可能である第２積載手段と、
前記第１積載手段を検出する第１検出手段と、
前記第２積載手段を検出する第２検出手段と、
ユーザに対する通知を行う通知手段と、
前記第１検出手段の検出結果と前記第２検出手段の検出結果とに応じた通知を前記通知手段に行なわせる制御手段と、
を有することを特徴とする積載装置。
【請求項１３】
前記制御手段は、前記第１検出手段の検出結果と、前記第２検出手段の検出結果と、に基づいて、前記第２サイズのシートが積載可能か否かを判定し、前記第２サイズのシートを積載可能であると判定された場合と、積載可能でないと判定された場合と、を識別可能に前記通知手段に通知させることを特徴とする請求項１２に記載の積載装置。
【請求項１４】
前記通知手段は、複数種類の発光パターンにより、前記第１検出手段の検出結果と前記第２検出手段の検出結果とに応じた通知を行なうことを特徴とする請求項１２又は１３に記載の積載装置。
【請求項１５】
前記第１サイズのシート及び前記第２サイズのシートを含む複数のサイズのシートのうち、どのサイズのシートを積載するかを設定する設定手段、をさらに有し、
前記制御手段は、前記第２サイズのシートを積載するように前記設定手段によって設定されている場合に、前記第１検出手段の検出結果と前記第２検出手段の検出結果とに応じた通知を、前記通知手段に行なわせることを特徴とする請求項１２乃至１４のいずれか１項に記載の積載装置。
【請求項１６】
上限位置と下限位置の間を上下方向に移動可能かつ第１サイズのシートを積載する第１積載手段と、
前記上限位置より下方かつ前記下限位置より上方である位置を所定位置とし、前記第１積載手段が前記所定位置から前記上限位置までの間にあるときに、前記第１積載手段と連結されていて、前記第１積載手段が前記所定位置より下方にあるときに、前記第１積載手段との連結が解除されている第２積載手段であって、前記第１積載手段と連結された状態で、前記第１積載手段が上下方向へ移動することによって、前記第１積載手段と共に、前記第１サイズよりも大きい第２サイズのシートを積載しながら上下方向に移動可能である前記第２積載手段と、
前記第２積載手段の位置を検出する検出手段と、
前記検出手段の検出結果に応じた通知を行う通知手段と、
を有することを特徴とする積載装置。
【請求項１７】
前記検出手段の検出結果に基づいて、前記第２サイズのシートが積載可能か否かを判定し、前記第２サイズのシートを積載可能であると判定された場合と、積載可能でないと判定された場合と、を識別可能に前記通知手段に通知させる制御を行う制御手段、をさらに有することを特徴とする請求項１６に記載の積載装置。
【請求項１８】
前記通知手段は、複数種類の発光パターンにより、前記検出手段の検出結果に応じた通知を行なうことを特徴とする請求項１６又は１７に記載の積載装置。
【請求項１９】
前記第１サイズのシート及び前記第２サイズのシートを含む複数のサイズのシートのうち、どのサイズのシートを積載するかを設定する設定手段、をさらに有し、
前記制御手段は、前記第２サイズのシートを積載するように前記設定手段によって設定されている場合に、前記検出手段の検出結果に応じた通知を前記通知手段に行わせることを特徴とする請求項１７に記載の積載装置。
【請求項２０】
前記設定手段によって前記第１サイズのシートを積載するように設定されている場合に、前記通知手段による通知は、前記検出手段の検出結果に応じて変化しないことを特徴とする請求項１９に記載の積載装置。
【請求項２１】
前記検出手段は、前記第２積載手段が前記所定位置にあることを検出するように、前記積載装置に設けられていることを特徴とする請求項１６乃至２０のいずれか１項に記載の積載装置。
【請求項２２】
前記検出手段は、前記第２積載手段が前記第１積載手段との連結を解除されたときに、前記第２積載手段を検出することを特徴とする請求項１６乃至２１のいずれか１項に記載の積載装置。
【請求項２３】
前記検出手段は、前記第２積載手段が前記第１積載手段と連結しているときに、前記第２積載手段についての出力結果がＯＦＦとなることを特徴とする請求項１６乃至２２のいずれか１項に記載の積載装置。
【請求項２４】
前記検出手段は、前記第２積載手段が前記第１積載手段と連結しており、かつ前記第２積載手段の位置が前記所定位置よりも高いときに、前記第２積載手段についての出力結果がＯＦＦとなることを特徴とする請求項１６乃至２３のいずれか１項に記載の積載装置。